(57)【要約】【課題】    容易に取付作業が行える出隅用外壁パネル及び出隅用外壁パネル取付構造を提供する。【解決手段】  頭部挿通凹部１０ｃの外側で、しかも、金属板材１１と、縦柱材３の側面３ｂとの間の位置で、係止突起６の頭部６ａを捕捉する受口テーパ部１２ａと、頭部挿通凹部１０ｃの内側まで、頭部６ａを導入するガイド溝部１２ｃとを有する引き寄せ金具１２を設けた。  受口テーパ部１２ａが、ガイド溝部１２ｃを形成する左，右一対の延出アーム部１２ｂ，１２ｂで、弾性支持されている。  ガイド溝部１２ｃの基端部を構成する基端板部１２ｄが、ガイド溝部１２ｃの上方位置で、パネル本体１０ａの裏面側及び金属板材１１との間に介在され、頭部挿通凹部１０ｃ側の内側面に、ブラインドリベット１３…によって、固着されている。【選択図】図２
2006083554.tif 000002
【特許請求の範囲】
【請求項１】
建物の躯体を構成する縦柱材に、水平断面形状が、略Ｌ字型となるように、２枚の板面
部が直角に突き合わせられた形状を呈するパネル本体を有した出隅用外壁パネル部材が、
装着される際、該パネル本体の裏面側を、前記縦柱材のコーナ部で、直交するように突き
合わせられる２つの側面に、各々対向して当接させる際に、介在される金属板材を、該パ
ネル本体の裏面側に固着すると共に、前記縦柱材の各側面から、突設された係止突起を、
挿通する挿通孔を、前記金属板材に開口形成して、挿通される前記係止突起の頭部を、前
記金属板材の裏面側で、前記パネル本体の裏面側に凹設形成された頭部挿通凹部内に、位
置させる出隅用外壁パネルであって、
前記頭部挿通凹部の外側で、しかも、前記金属板材と、前記縦柱材の側面との間の位置
で、前記係止突起の頭部を捕捉する頭部仮係止部と、前記頭部挿通凹部の内側まで、該頭
部を導入するガイド溝とを有するガイド部材を設けたことを特徴とする出隅用外壁パネル
。
【請求項２】
前記ガイド部材は、金属板状の引き寄せ金具を有して構成されると共に、該引き寄せ金
具には、前記金属板材と、前記縦柱材の側面との間の位置まで、突設された前記頭部仮保
持部を、前記ガイド溝を形成する左，右一対の延出アーム部で、弾性支持して、該ガイド
溝の基端部を構成する基端板部を、該ガイド溝部の上方位置で、前記パネル本体の裏面側
及び前記金属板材との間に介在させて、固着することを特徴とする請求項１記載の出隅用
外壁パネル。
【請求項３】
前記ガイド部材によって、前記パネル本体を前記縦柱材に装着する際に、前記ガイド溝
に沿うスライドガイドによって、前記パネル本体を、前記縦柱材の各側面に近接させて装
着させると共に、前記頭部仮係止部の一部を該各側面に弾接させていることを特徴とする
請求項１又は２記載の出隅用外壁パネル取付構造。
【発明の詳細な説明】
【技術分野】
【０００１】
この発明は、建物のコーナ部の外壁パネルを、建物躯体の柱材等に装着する出隅用外壁
パネル及び出隅用外壁パネル取付構造に関するものである。
【背景技術】
【０００２】
従来、図２２乃至図２５に示すような出隅用外壁パネル取付構造が、知られている（例
えば、特許文献１等参照）。
【０００３】
まず、構成から説明すると、この従来の出隅用外壁パネル取付構造では、建物１の躯体
２を構成する縦柱材３に、外側から装着される出隅用外壁パネル部材４が設けられている
。
【０００４】
この出隅用外壁パネル部材４は、水平断面形状が、略Ｌ字型となるように、２枚の板面
部４ｂ，４ｂが、直角に突き合わせられた形状を呈する一体のパネル本体４ａを有してい
る。
【０００５】
また、このパネル本体４ａの裏面側には、前記縦柱材３のコーナ部３ａで、直交するよ
うに突き合わせられる２つの側面３ｂ，３ｂに、各々対向して当接されるように、水平断
面形状を略Ｌ字型とする金属板材５が固着されて設けられている。
【０００６】
更に、前記縦柱材３の直交される前記２つの側面３ｂ，３ｂからは、各係止突起６，６
が、突設されている。
【０００７】
また、前記パネル本体４ａの裏面側で、この係止突起６，６に対向する位置には、頭部
挿通凹部４ｃ，４ｃが、凹設形成されていて、装着状態で、この係止突起６，６に、大径
となるように形成された頭部６ａが、挿通されて、この挿通凹部４ｃ，４ｃの内部に位置
されるようにしている。
【０００８】
そして、前記金属板材５には、係止孔７が開口形成されていて、前記係止突起６，６の
頭部６ａ，６ａを、各々係止するように構成されている。
【０００９】
この従来の出隅用外壁パネル取付構造では、図２３に示すように、前記係止孔７のうち
、下方に位置する大きな幅の大穴部７ａの中心線Ｌ１よりも、上方に位置する小さな幅の
小溝部７ｂの中心線Ｌ２の位置が、コーナ部５ａに近接されるようにオフセットされると
共に、前記大穴部７ａと前記小溝部７ｂとの間に形成されたテーパ状のガイド部７ｃによ
って、連続開口されて形成されている。
【００１０】
このため、図２２に示すように、出隅用外壁パネル部材４が装着された状態では、上方
に向けてスライドガイドされる前記係止突起６の胴部６ｂが、この小溝部７ｂ内で、前記
コーナ部５ａ方向に導かれるように構成されている。                   
【００１１】
次に、この出隅用外壁パネル取付構造の作用について説明する。
【００１２】
このように構成された出隅用外壁パネル取付構造では、前記出隅用外壁パネル部材４を
前記縦柱材３の屋外側の斜め方向から近接させて、前記パネル本体４ａ裏面側に形成され
た頭部挿通凹部４ｃ内に、金属板材５に開口形成された大穴部７ａを介して、前記側面３
ｂから突設された前記係止突起６の頭部６ａを挿通する。
【００１３】
この状態で、前記出隅用外壁パネル部材４を、前記縦柱材３に沿って下方に移動させる
と、前記大穴部７ａと前記小溝部７ｂとの間に形成されたテーパ状のガイド部７ｃにスラ
イドガイドされて、前記小溝部７ｂ内に、前記係止突起６の胴部６ｂが導かれる。
【００１４】
このため、前記縦柱材３の２つの側面３ｂ，３ｂに対峙する各前記パネル本体４ａ裏面
側が、各々近接されて、図２２に示すように装着固定される。      
【特許文献１】特開２００３−２７８３５８号公報（図１乃至図５、段落００３０乃至００５２）
【発明の開示】
【発明が解決しようとする課題】
【００１５】
しかしながら、このような従来の出隅用外壁パネル及び出隅用外壁パネル取付構造では
、前記パネル本体４ａ裏面側に形成された頭部挿通凹部４ｃ，４ｃ内に、前記側面３ｂか
ら突設された前記係止突起６，６が、位置するまで、前記パネル本体４ａを、前記縦柱材
３に近接させなければならない。
【００１６】
このため、前記縦柱材３の２つの側面３ｂ，３ｂに対峙する前記パネル本体４ａによっ
て、前記側面３ｂ，３ｂに突設形成された前記係止突起６，６が、視認し難くなり、大穴
部７ａ，７ａ内に、前記頭部６ａ，６ａを、挿通する作業が困難であるといった問題があ
った。
【００１７】
しかも、前記出隅用外壁パネル部材４を下降させる前に、直交する２つの側面３ｂ，３
ｂに突設形成された前記係止突起６，６を、前記パネル本体４ａの裏面側に大穴部７ａ，
７ａに全て、挿通させる必要が生じると共に、出隅用外壁パネル部材４を、斜め方向へ向
けて、前記縦柱材３に押しつけながら、下降させる等、装着作業性が良好であるとは言い
難かった。
【００１８】
そこで、この発明は、容易に取付作業が行える出隅用外壁パネル及び出隅用外壁パネル
取付構造を提供することを課題としている。
【課題を解決するための手段】
【００１９】
上記目的を達成するために、本願発明の請求項１記載のものは、建物の躯体を構成する
縦柱材に、水平断面形状が、略Ｌ字型となるように、２枚の板面部が直角に突き合わせら
れた形状を呈するパネル本体を有した出隅用外壁パネル部材が、装着される際、該パネル
本体の裏面側を、前記縦柱材のコーナ部で、直交するように突き合わせられる２つの側面
に、各々対向して当接させる際に、介在される金属板材を、該パネル本体の裏面側に固着
すると共に、前記縦柱材の各側面から、突設された係止突起を、挿通する挿通孔を、前記
金属板材に開口形成して、挿通される前記係止突起の頭部を、前記金属板材の裏面側で、
前記パネル本体の裏面側に凹設形成された頭部挿通凹部内に、位置させる出隅用外壁パネ
ルであって、前記頭部挿通凹部の外側で、しかも、前記金属板材と、前記縦柱材の側面と
の間の位置で、前記係止突起の頭部を捕捉する頭部仮係止部と、前記頭部挿通凹部の内側
まで、該頭部を導入するガイド溝とを有するガイド部材を設けた出隅用外壁パネルを特徴
としている。
【００２０】
また、請求項２に記載されたものは、前記ガイド部材は、金属板状の引き寄せ金具を有
して構成されると共に、該引き寄せ金具には、前記金属板材と、前記縦柱材の側面との間
の位置まで、突設された前記頭部仮保持部を、前記ガイド溝を形成する左，右一対の延出
アーム部で、弾性支持して、該ガイド溝の基端部を構成する基端板部を、該ガイド溝部の
上方位置で、前記パネル本体の裏面側及び前記金属板材との間に介在させて、固着する請
求項１記載の出隅用外壁パネルを特徴としている。
【００２１】
更に、請求項３に記載されたものは、前記ガイド部材によって、前記パネル本体を前記
縦柱材に装着する際に、前記ガイド溝に沿うスライドガイドによって、前記パネル本体を
、前記縦柱材の各側面に近接させて装着させると共に、前記頭部仮係止部の一部を該各側
面に弾接させている請求項１又は２記載の出隅用外壁パネル取付構造を特徴としている。
【発明の効果】
【００２２】
このように構成された請求項１記載のものは、前記ガイド部材の頭部仮係止部が、前記
頭部挿通凹部の外側で、しかも、前記金属板材と、前記縦柱材の側面との間の位置に設け
られている。
【００２３】
このため、前記パネル本体を前記縦柱材の屋外側の斜め方向から近接させて、前記係止
突起の頭部を捕捉する際に、従来に比して、余り近接させなくとも、前記係止突起の頭部
を、捕捉して仮係止出来る。
【００２４】
従って、パネル本体越しに、前記係止突起を視認しながら、装着作業が行えて、装着作
業性が良好である。
【００２５】
仮係止後、前記パネル本体を、前記縦柱材に沿わせて、下降させると、前記ガイド溝部
に、スライドガイドされて、前記頭部が、前記頭部挿通凹部の内側まで導入される。
【００２６】
このため、直角に突き合わせられた形状を呈する２枚の板面部が、各々面内外方向で、
前記対峙する縦柱部材のうち、直交するように突き合わせられる２つの側面に近接されて
、前記コーナ部へ装着される。
【００２７】
従って、前記従来のように、出隅用外壁パネル部材を、斜め方向へ向けて、前記縦柱材
に押しつけながら、下降させる等の作業が不要である。このように、例えば、該パネル本
体の自重を利用して、下降させれば、係止作業が完了するので、装着作業性が良好である
。
【００２８】
また、請求項２に記載されたものは、前記引き寄せ金具のガイド溝の基端部を構成する
基端板部が、該ガイド溝部の上方位置で、前記パネル本体の裏面側及び前記金属板材との
間に介在させて、固着されている。
【００２９】
そして、該引き寄せ金具の前記頭部仮保持部が、前記ガイド溝を形成する左，右一対の
延出アーム部で、弾性支持されて、前記金属板材と、前記縦柱材の側面との間の位置まで
、突設されているので、金属板状の部材を屈曲形成することにより、容易に構成できる。
【００３０】
したがって、原材料コストをかける必要が無く、容易に構成出来、製造コストの増大を
抑制できる。
【００３１】
更に、請求項３に記載されたものは、前記ガイド部材によって、前記パネル本体が、前
記縦柱材に装着される際に、前記ガイド溝に沿うスライドガイドによって、前記パネル本
体が、前記縦柱材の各側面に近接されて装着される。
【００３２】
このため、前記頭部仮係止部の一部が、該各側面に弾接されて、前記ガイド部材の突設
量が圧縮によって減少することにより、前記縦柱材の各側面に対して、該パネル本体が近
接装着される際に、干渉することが無く、間隙の寸法を所望の寸法まで、減少させること
が出来る。
【００３３】
従って、密着性及びシール性等を良好なものとすることができる。
【発明を実施するための最良の形態】
【００３４】
次に、図面に基づいて、この発明を実施するための最良の実施の形態の出隅用外壁パネ
ル及び出隅用外壁パネル取付構造を説明する。
【００３５】
なお、前記従来例と同一乃至均等な部分については同一符号を付して説明する。
【００３６】
図１乃至図２０は、この発明の最良の実施の形態の出隅用外壁パネル取付構造を示して
いる。
【００３７】
まず、この実施の形態の出隅用外壁パネル取付構造の構成を説明すると、この実施の形
態の出隅用外壁パネル取付構造では、建物１の躯体２を構成する縦柱材３に、外側から装
着される出隅用外壁パネル部材１０が設けられている。
【００３８】
この出隅用外壁パネル部材１０は、水平断面形状が、略Ｌ字型となるように、２枚の板
面部１０ｂ，１０ｂが、直角に突き合わせられた形状を呈する一体のパネル本体１０ａを
有している。
【００３９】
また、このパネル本体１０ａの裏面側には、前記縦柱材３のコーナ部３ａで、直交する
ように突き合わせられる２つの側面３ｂ，３ｂに、各々対向して当接されるように、２枚
の金属板面部１１ａ，１１ａを有して、コーナ部１１ｂで、水平断面形状を略Ｌ字型とす
るように一体に形成された金属板材１１が固着されて設けられている。
【００４０】
更に、前記縦柱材３の直交される前記２つの側面３ｂ，３ｂからは、図３に示すように
、各係止突起６，６が、鉛直方向に一列となるように、所定の間隔を置いて、複数個、突
設されている。
【００４１】
この係止突起６は、図１５に示すように、円柱状の胴部６ｂに比べて、大径となるよう
に形成されたフランジ状の頭部６ａが、一体に設けられて、前記側面３ｂに溶接されて固
定されている。
【００４２】
また、前記パネル本体１０ａを構成する各板面部１０ｂ，１０ｂの裏面側で、この係止
突起６，６に対向する位置には、図１又は図２に示すように、頭部挿通凹部１０ｃ，１０
ｃが、凹設形成されていて、装着状態で、この係止突起６，６に、前記頭部６ａ，６ａが
、挿通されて、この挿通凹部１０ｃ，１０ｃの内部に位置されるようにしている。
【実施例１】
【００４３】
図１乃至図３に示すこの発明の実施例１の出隅用外壁パネル取付構造では、前記金属板
材１１には、挿通孔１１ｃ及び挿通切り欠き１１ｄが、上，下に一対開口形成されていて
、前記係止突起６，６の頭部６ａ，６ａを、各々挿通可能としている。
【００４４】
これらの挿通孔１１ｃ及び挿通切り欠き１１ｄには、各々図１２及び図１３に示すよう
なガイド部材としての引き寄せ金具１２，１２が、設けられている。
【００４５】
この引き寄せ金具１２は、主に、金属製の面内外方向に弾性変形可能な板材が、一部折
り曲げ加工が施されることによって、一体に構成されるものである。
【００４６】
この引き寄せ金具１２には、頭部仮係止部としての受口テーパ部１２ａ，１２ａが、左
右一対、略対称に形成されている。
【００４７】
この受口テーパ部１２ａ，１２ａは、前記頭部挿通凹部１０ｃの外側で、しかも、前記
金属板材１１と、前記縦柱材３の側面３ｂとの間の位置で、前記係止突起６の頭部６ａを
捕捉するように、向けて拡開された形状を呈して、左右一対、略対称に形成されている。
【００４８】
また、この引き寄せ金具１２には、この受口テーパ部１２ａ，１２ａによって、捕捉さ
れた前記係止突起６の頭部６ａを、前記頭部挿通凹部１０ｃの内側まで、前記挿通孔１１
ｃ又は、挿通切り欠き１１ｄを挿通させて、導入するガイド溝部１２ｃが形成された左，
右一対の延出アーム部１２ｂ，１２ｂが、設けられている。
【００４９】
更に、この引き寄せ金具１２には、このガイド溝部１２ｃの基端部を構成する基端板部
１２ｄが、前記一対の延出アーム部１２ｂ，１２ｂを左，右に連結するように、一体に設
けられている。
【００５０】
そして、図２に示すように、前記ガイド溝部１２ｃよりも上方位置で、前記パネル本体
１０ａを構成する各板面部１０ｂ，１０ｂの裏面側及び前記金属板材１１の金属板部１１
ａとの間に介在されて、この金属板部１１ａの前記頭部挿通凹部１０ｃ側の内側面に、ブ
ラインドリベット１３…によって、固着されている。
【００５１】
しかも、この実施例１では、このガイド溝部１２ｃの上方位置で、前記パネル本体１０
aの裏面側に形成された頭部挿通凹部１０ｃ内に、前記基端板部１２ｄが、位置して固定
されている。
【００５２】
更に、この実施例１では、前記金属板材１１と、前記縦柱材３の側面３ｂとの間の位置
まで、突設された前記受口テーパ部１２ａを、前記ガイド溝１２ｃを形成する左，右一対
の延出アーム部１２ｂ，１２ｂで、弾性支持している。
【００５３】
また、前記延出アーム部１２ｂ，１２ｂの先端部近傍の表面側の一部には、前記縦柱材
３の直交される各側面３ｂ，３ｂに弾接される当接面部１２ｅ，１２ｅが各々設けられて
いる。
【００５４】
したがって、この当接面部１２ｅ，１２ｅは、前記側面３ｂに対して、弾接されて前記
延出アーム部１２ｂ，１２ｂの屈曲部位等によって、面内外方向に圧縮変形可能に構成さ
れている。 
【００５５】
次に、この実施例１の出隅用外壁パネル及び出隅用外壁パネル取付構造の作用について
説明する。
【００５６】
まず、装着順序に沿って説明すると、この実施例１では、前記建物１の躯体２を構成す
る縦柱材３に、水平断面形状が、略Ｌ字型となるように、２枚の板面部１０ｂ，１０ｂが
直角に突き合わせられた形状を呈するパネル本体１０ａを有した出隅用外壁パネル部材１
０，１０が、下方から順番に、図３，図４に示すように、装着されるものである。
【００５７】
このような出隅用外壁パネル部材１０の装着順序を、図１４乃至図１９を用いて、説明
する。
【００５８】
すなわち、図１４及び図１５に示すように、出隅用外壁パネル部材１０のパネル本体１
０ａの各板面部１０ｂ，１０ｂの裏面側を、前記縦柱材３のコーナ部３ａで、直交するよ
うに突き合わせられる２つの側面３ｂ，３ｂに、各々対向させて、近接させる。
【００５９】
そして、図１６及び図１７に示すように、前記側面３ｂ，３ｂから突設された前記係止
突起６，６の各頭部６ａ，６ａを、前記受け口テーパ部１２ａの下方位置で、前記板面部
１０ｂ，１０ｂの裏面側に当接させながら、左右方向の位置を調整して、この受け口テー
パ部１２ａ，１２ａに頭部６ａ，６ａを捕捉させて、仮係止させる。
【００６０】
この際、前記引き寄せ金具１２の受け口テーパ部１２ａが、前記頭部挿通凹部１０ｃの
外側で、しかも、前記金属板材１１と、前記縦柱材３の側面３ｂとの間の位置に設けられ
ている。
【００６１】
このため、前記パネル本体１０ａを、図１５又は図１７に示すように、前記縦柱材３屋
外側の斜め方向から近接させて、前記係止突起６の頭部６ａを捕捉する際に、頭部６ａを
パネル本体１０ａの裏面側に凹設された頭部挿通凹部１０ｃ内に没入させなければ、係止
出来ない従来のものに比して、近接させなくとも、前記係止突起６の頭部６ａが、捕捉さ
れて仮係止することが出来る。
【００６２】
従って、建物１の外側方から外壁部を構築する場合でも、前記パネル本体１０ａ越しに
、前記係止突起６，６を視認しながら、装着作業が行えて、装着作業性が良好である。
【００６３】
また、係止突起６，６の高さ方向の突設量を減少させることも出来、この場合、更に、
間隙量を減少させて、密着性及びシール性を向上させることができる。
【００６４】
しかも、この実施例１では、前記金属板材１１に形成された下方の挿通切り欠き１１ｄ
が、下側を開放させる形状を呈しているので、更に、容易に、前記係止突起６の頭部６ａ
を、パネル本体１０ａの裏面側に当接させた状態で、前記受け口テーパ部１２ａの内側に
導かれる。
【００６５】
仮係止後、図１６に示す位置から、白抜き矢印で示すように、前記パネル本体１０ａを
、前記縦柱材３の延設方向である鉛直方向に沿わせて、下降させると、頭部６ａは、引き
寄せ金具１２のうち、板面部１０ｂ側に係止されたままであるので、近接方向への押圧力
を必要とせず、前記係止突起６の胴部６ｂが、前記ガイド溝部１２ｃに沿って、スライド
ガイドされる。
【００６６】
そして、図１８及び図１９に示すように、前記係止突起６の頭部６ａが、前記頭部挿通
凹部１０ｃの内側まで導入されて、このガイド溝部１２ｃの上縁部である前記基端板部１
２ｄの下端縁に、前記係止突起６の胴部６ｂの周側面を当接させて停止される。
【００６７】
このため、直角に突き合わせられた形状を呈する２枚の板面部１０ｂ，１０ｂが、各々
面内外方向で、前記対峙する縦柱部材３のうち、コーナ部３ａで、直交するように突き合
わせられる２つの側面３ｂ，３ｂに近接されて、前記コーナ部３ａへ斜めに近接されなが
ら、装着される。
【００６８】
従って、前記従来のように、出隅用外壁パネル部材を、斜め方向へ向けて、前記縦柱材
に押しつけながら、下降させる等の作業が不要で、図１４中白抜き矢印に示すように、水
平方向に近接移動させる作業と、図１６中白抜き矢印に示すように、下降させる作業とを
分離出来、容易に取付作業が行える。
【００６９】
また、前記受口テーパ部１２ａによる前記係止突起６の捕捉、及び仮係止が外れる虞が
無いので、仮係止が行われた後、例えば、このパネル本体１０ａの自重を利用して、下降
させれば、停止位置で係止作業が完了するので、装着作業性が、良好である。
【００７０】
更に、前記引き寄せ金具１２のガイド溝部１２ｃの基端部を構成する基端板部１２ｄが
、このガイド溝部１２ｃの上方位置で、前記パネル本体１０ａの裏面側及び前記金属板材
１１との間に介在されて、この前記頭部挿通凹部１０ｃ側の内側面に、ブラインドリベッ
ト１３…によって、固着されている。
【００７１】
このため、例えば、前記金属板材１１が一枚で、前記頭部６ａを係止する係止溝を形成
するものに比して、この引き寄せ金具１２の基端板部１２ｄの板厚分、更に、頭部６ａを
、前記頭部挿通凹部１０ｃ内で、建物１外側方に位置させて係止固定させることができる
。
【００７２】
従って、前記係止突起６の胴部６ｂが、同一長さである場合には、更に、前記パネル本
体１０ａを縦柱材３の側面３ｂに近接させることが出来、この点においても、間隙量を減
少させることが出来る。
【００７３】
また、頭部６が、前記金属板材１１及び前記引き寄せ金具１２の基端板部１２ｄの２枚
の金属製板材によって、面内外方向の取付剛性が向上している部分に係止されるので、前
記パネル本体１０ａ一枚当たりの取付部位数量を減少させることができる。
【００７４】
このように、前記係止突起６…と、前記引き寄せ金具１２との係合箇所を減少させるこ
とが出来るので、更に、仮係止させる際の作業性を良好なものとして、容易に取付作業が
行える出隅用外壁パネル及び出隅用外壁パネル取付構造を提供出来る。
【００７５】
そして、この引き寄せ金具１２の前記受口テーパ部１２ａが、前記ガイド溝部１２ｃを
形成する左，右一対の延出アーム部１２ｂ，１２ｂで、弾性支持されて、前記金属板材１
１と、前記縦柱材３の側面３ｂとの間の位置まで、突設されている。
【００７６】
このため、金属板状の一枚の部材をプレス打ち抜き及び屈曲成形等して、形成すること
により、容易に構成できる。
【００７７】
したがって、原材料コストをかける必要が無く、容易に構成出来、製造コストの増大を
抑制できる。
【００７８】
更に、この出隅用外壁パネル取付構造では、前記引き寄せ金具１２によって、前記出隅
用外壁パネル１０のパネル本体１０ａが、前記建物１の躯体２を構成する縦柱材３に装着
される際に、前記ガイド溝部１２ｃ，１２ｃに沿うスライドガイドによって、前記パネル
本体１０ａが、前記縦柱材３の各側面３ｂ，３ｂに近接されて装着される。
【００７９】
このため、図２に示すように、前記受口テーパ部１２ａの建物１側の一側面部である当
接面部１２ｅ，１２ｅが、図１に示すように、これらの各側面３ｂ，３ｂに弾接されて、
前記引き寄せ金具１２の前記金属板材１１からの突設量が、図１４及び図１５と、図１８
及び図１９とが、比較されて示されるように、圧縮によって減少される。
【００８０】
従って、前記縦柱材３の各側面３ｂ，３ｂに対して、このパネル本体１０ａが近接装着
される際に、干渉して抵抗となることが無く、各側面３ｂ，３ｂと、前記金属板材１１と
の間の間隙の寸法を所望の寸法まで、減少させることが出来る。
【００８１】
従って、例えば、図１に示すように、前記金属板材１１の端部１１ｅ，１１ｅを、シー
ト状シール材１４，１４に圧着させることも出来、前記躯体２と各パネル部材との間の密
着性及びシール性等を良好なものとすることができる。
【００８２】
しかも、この実施例１では、前記当接面部１２ｅ，１２ｅが、図１に示すように、これ
らの各側面３ｂ，３ｂに弾接されて、前記延出アーム部１２ｂ，１２ｂの撓みによる反発
力で、前記係止突起６，６の頭部６ａ，６ａは、ガイド溝部１２ｃの周縁及び基端板部１
２ｄの下縁部周縁に、圧着方向に付勢されている。
【００８３】
このため、前記パネル本体１０ａは、面内外方向にガタつく虞が無く、前記係止突起６
を、前記縦柱材３の側面３ｂに溶接固定する際の一定量の寸法誤差を吸収することも出来
る。
【００８４】
しかも、図２１に示すように、溶接によって、前記係止突起６の胴部６ｂ付け根部位近
傍にスパッタ６ｃ，６ｃが発生していたり、余盛り部が形成されていても、このスパッタ
６ｃ，６ｃに、前記金属板材１１の前記挿通孔１１ｃ又は挿通切り欠き１１ｄ周縁を接触
させて干渉する虞が無い。
【００８５】
しかも、前記ブラインドリベット１３，１３によって、前記基端板部１２ｄが、このガ
イド溝部１２ｃの上方位置で、前記パネル本体１０ａの裏面側及び前記金属板材１１との
間に介在されて、この前記頭部挿通凹部１０ｃ側の内側面に、固着されている。
【００８６】
ブラインドリベット１３，１３は、前記金属板材１１の厚みから、建物１方向に殆ど突
出していないので、前記基端板部１２ｄ及びこのブラインドリベット１３，１３が、前記
側面３ｂに接触されて、干渉してしまう虞が無い。
【００８７】
従って、前記出隅用外壁パネル部材１０が、所望の設定された位置に、良好な係止状態
で、装着される。
【実施例２】
【００８８】
図２０は、この実施の形態の実施例２の出隅用外壁パネル取付構造を示すものである。
【００８９】
なお、前記実施例１の出隅用外壁パネル取付構造と、同一乃至均等な部分については、
同一符号を付して、説明する。
【００９０】
まず、構成上の相違点から説明すると、この実施例２の出隅用外壁パネル部材２０は、
１枚の板面部２０ｂによって、構成されたパネル本体２０ａを有して、主に構成されてい
る。
【００９１】
この板面部２０ｂの裏面側には、前記係止突起６を挿通させてさせる頭部挿通凹部１０
ｃ，１０ｃが、凹設形成されている。
【００９２】
また、この板面部２０ｂの裏面側には、基面部２１ｂに対して、略直角に屈曲される側
面部２１ａを一体に有する金属板材２１が、固着されている。
【００９３】
この側面部２１ａは、前記縦柱部３の前記係止突起６が突設される側面３ｂと、コーナ
部３ａで、直交するように突き合わせられる他の側面３ｂに対して、圧着されるように構
成されている。
【００９４】
この金属板材２１の基面部２１ｂには、複数の挿通孔２１ｃ，２１ｃが、開口形成され
ていて、前記係止突起６，６の頭部６ａ，６ａを、各々挿通可能としている。
【００９５】
そして、これらの挿通孔２１ｃ，２１ｃには、各々ガイド部材としての引き寄せ金具１
２，１２が、設けられている。
【００９６】
次に、この実施例２の出隅用外壁パネル及び出隅用外壁パネル取付構造の作用について
説明する。
【００９７】
このように構成された実施例２の出隅用外壁パネル取付構造では、前記実施例１の作用
効果に加えて、更に、前記係止突起６の胴部６ｂが、前記ガイド溝部１２ｃ内を上方に向
けて、スライドガイドされる際に、前記出隅用外壁パネル部材２０は、面延設方向（図２
０中上，下方向）にも、位置規制される。
【００９８】
このため、前記縦柱部３の前記係止突起６が突設される側面３ｂと、コーナ部３ａで、
直交するように突き合わせられる他の側面３ｂに対しても、前記側面部２１ａが圧着され
る。
【００９９】
従って、更に、前記躯体２の縦柱材３と、前記出隅用外壁パネル部材２０との間の密着
性及びシール性等を良好なものとすることができる。
【０１００】
他の構成、及び作用効果については、前記実施例１と略同様であるので、説明を省略す
る。
【０１０１】
以上、図面を参照して、本発明の実施の形態を詳述してきたが、具体的な構成は、この
実施の形態に限らず、本発明の要旨を逸脱しない程度の設計的変更は、本発明に含まれる
。
【０１０２】
即ち、前記実施例１では、図４に示すように、建物１の躯体２に上下方向で、概略３個
の出隅用外壁パネル部材１０，１０を装着するものを示して、説明してきたが、特にこれ
に限らず、例えば、１，２個若しくは、４個以上の複数個の出隅用外壁パネル部材１０…
を用いて、コーナ部を縦方向に分割しても良く、細分割によって、搬送性を向上させるこ
とができる。
【図面の簡単な説明】
【０１０３】
【図１】この発明の実施の形態の実施例１の出隅用外壁パネル及び出隅用外壁パネル取付構造で、要部の構成を説明する図４中Ａ−Ａ線で示す位置での水平断面図である。
【図２】実施例１の出隅用外壁パネル及び出隅用外壁パネル取付構造で、要部の構成を説明する図４中Ｂ−Ｂ線に沿った位置での断面図である。
【図３】実施例１の出隅用外壁パネル取付構造で、出隅用外壁パネルを建物の躯体に装着する様子を説明する分解斜視図である。
【図４】実施例１の出隅用外壁パネル取付構造で、出隅用外壁パネルを建物の躯体に装着している様子を説明する分解斜視図である。
【図５】実施例１の出隅用外壁パネルで、要部の構成を説明する図６中Ｃ−Ｃ線で示す位置での水平断面図である。
【図６】実施例１の出隅用外壁パネルで、要部の構成を説明する部分側面図
【図７】実施例１の出隅用外壁パネルで、一内側面図である。
【図８】実施例１の出隅用外壁パネルで、他の内側面図である。
【図９】実施例１の出隅用外壁パネルで、ガイド部材が取り付けられていない状態での上面図である。
【図１０】実施例１の出隅用外壁パネルで、一外側面図である。
【図１１】実施例１の出隅用外壁パネルで、他の外側面図である。
【図１２】実施例１の出隅用外壁パネルに用いられる引き寄せ金具の正面図である。
【図１３】実施例１の出隅用外壁パネルに用いられる引き寄せ金具の側面図である。
【図１４】実施例１の出隅用外壁パネル取付構造で、出隅用外壁パネルを建物の躯体に装着する様子を説明する縦断面図である。
【図１５】実施例１の出隅用外壁パネル取付構造で、出隅用外壁パネルを建物の躯体に装着する様子を説明する水平断面図である。
【図１６】実施例１の出隅用外壁パネル取付構造で、出隅用外壁パネルを建物の躯体に装着している様子を説明する縦断面図である。
【図１７】実施例１の出隅用外壁パネル取付構造で、出隅用外壁パネルを建物の躯体に装着している様子を説明する水平断面図である。
【図１８】実施例１の出隅用外壁パネル取付構造で、出隅用外壁パネルが、建物の躯体に装着された様子を説明する縦断面図である。
【図１９】実施例１の出隅用外壁パネル取付構造で、出隅用外壁パネルが、建物の躯体に装着された様子を説明する水平断面図である。
【図２０】この発明の実施の形態の実施例２の出隅用外壁パネルで、要部の構成を説明する水平断面図である。
【図２１】建物の躯体を構成する縦柱材に溶接により、固定された係止突起の一部断面側面図である。
【図２２】従来例の出隅用外壁パネル及び出隅用外壁パネル取付構造パネルで、全体の構成を説明する水平断面図である。
【図２３】従来例の出隅用外壁パネルで、要部の構成を説明する一部断面側面図である。
【図２４】従来例の出隅用外壁パネルで、外側面側の斜視図である。
【図２５】従来例の出隅用外壁パネルで、内側面側の斜視図である。
【符号の説明】
【０１０４】
１                建物
２                躯体
３                縦柱材
３ａ              コーナ部
３ｂ              側面
６                係止突起
６ａ              頭部
６ｂ              胴部
１０，２０        出隅用外壁パネル部材
１１，２１        金属板材
１１ｃ，２１ｃ    挿通孔
１１ｄ            挿通切り欠き
１２              引き寄せ金具（ガイド部材）
１２ａ            受口テーパ部（頭部仮係止部）
１２ｂ，１２ｂ    延出アーム部
１２ｃ            ガイド溝部（ガイド溝）
１２ｄ            基端板部（基端部）
１２ｅ            当接面部（一部）
【図１】
2006083554.tif 000003
【図２】
2006083554.tif 000004
【図３】
2006083554.tif 000005
【図４】
2006083554.tif 000006
【図５】
2006083554.tif 000007
【図６】
2006083554.tif 000008
【図７】
2006083554.tif 000009
【図８】
2006083554.tif 000010
【図９】
2006083554.tif 000011
【図１０】
2006083554.tif 000012
【図１１】
2006083554.tif 000013
【図１２】
2006083554.tif 000014
【図１３】
2006083554.tif 000015
【図１４】
2006083554.tif 000016
【図１５】
2006083554.tif 000017
【図１６】
2006083554.tif 000018
【図１７】
2006083554.tif 000019
【図１８】
2006083554.tif 000020
【図１９】
2006083554.tif 000021
【図２０】
2006083554.tif 000022
【図２１】
2006083554.tif 000023
【図２２】
2006083554.tif 000024
【図２３】
2006083554.tif 000025
【図２４】
2006083554.tif 000026
【図２５】
2006083554.tif 000027